(57)【要約】【課題】外観カバーを外す際の作業性を改善したレンズ鏡筒を提供する。【解決手段】レンズ鏡筒は、撮像光学系を構成する第１レンズ群２０１と、第１レンズ群を保持する１群ベース２０２と、１群ベース２０２の外周に嵌合すると共に両面粘着テープ３０１によって１群ベース２０２に取り付けられる外観カバー２０８とを有しており、１群ベース２０２の外周には、両面粘着テープ３０１に達すると共に１群ベース２０２の外周において外観カバー２０８に覆われていない部分に達する溝３０５が形成されている。溝３０５に有機溶剤を流し込んで両面粘着テープ３０１の粘着部位に浸透させることにより、両面粘着テープ３０１の粘着力を低下させることで、１群ベース２０２に取り付けられた外観カバー２０８の取り外しを容易とした。【選択図】図３
2011158820.tif 000002
【特許請求の範囲】
【請求項１】
撮像光学系を構成する第１のレンズ群と、
前記第１のレンズ群を保持する保持部材と、
前記保持部材の外周に嵌合すると共に、粘着手段又は接着手段によって前記保持部材に取り付けられるカバー部材と、を有し、
前記保持部材は、その外周に、前記粘着手段又は前記接着手段に達すると共に前記保持部材の外周において前記カバー部材に覆われていない部分に達する溝部を備えていることを特徴とするレンズ鏡筒。
【請求項２】
前記カバー部材は前記第１のレンズ群の前方に配置され、撮影光束を制限する開口を有することを特徴とする請求項１記載のレンズ鏡筒。
【請求項３】
前記第１のレンズ群を保護する開閉可能なバリア部材を更に備え、
前記バリア部材は前記カバー部材と共に摺動することを特徴とする請求項２記載のレンズ鏡筒。
【発明の詳細な説明】
【技術分野】
【０００１】
本発明は、接着剤や両面粘着テープ等により固定される筒状部品を有するレンズ鏡筒に関する。
【背景技術】
【０００２】
レンズ鏡筒の先端部に、そのレンズ鏡筒の仕様やメーカー名が印刷された化粧用部品を取り付けた製品が知られている。化粧用部品は外観部品となるため、一般的に、ビス等の取り付け手段が目立たないように配慮する必要がある。そのため、接着剤や両面粘着テープを用いてレンズ鏡筒本体に化粧用部品を固定する方法が取られることがある。例えば、最先端部のレンズを保護するレンズバリアの作動空間を構成するバリアカバーに粘着テープを貼り付け、その粘着テープに外観カバーを貼り付ける構成が提案されている（特許文献１参照）。
【０００３】
外観カバーを粘着テープで固定しているレンズ鏡筒では、レンズバリアに不具合が発生したときや先端部の光学レンズを交換する必要が発生したとき等には、先ず、外観カバーを取り外さねばならない。ここで、粘着テープは、一般的に有機溶剤（以下「溶剤」と記す）によって、粘着成分が軟化することで剥がれ易くなるため、粘着テープ部に溶剤を浸透させる方法が採られる。特許文献１に開示された技術でも、バリアカバーと外観カバーとの隙間から溶剤を流し込むことが可能となっている。
【先行技術文献】
【特許文献】
【０００４】
【特許文献１】特開２００８−１９１５５３号公報
【発明の概要】
【発明が解決しようとする課題】
【０００５】
しかしながら、バリアカバーが無く、外観カバーのみで鏡筒前面が構成されているレンズ鏡筒では、上述した溶剤を浸透させる方法を採ることができない。そのため、外観カバーを外すには、過度な力で外観カバーを引っ張って接着部を剥がす必要があり、その結果、外観カバーが変形してしまうばかりか、外観カバー周辺の部品に変形や傷等が発生する等の問題が生じている。すなわち、不具合部品を交換する目的での外観カバーの取り外しの際に、不具合部品以外の部品を使用不可能な部品にしてしまうおそれがある。
【０００６】
本発明は、外観カバーを外す際の作業性を改善したレンズ鏡筒を提供することを目的とする。
【課題を解決するための手段】
【０００７】
本発明に係るレンズ鏡筒は、撮像光学系を構成する第１のレンズ群と、前記第１のレンズ群を保持する保持部材と、前記保持部材の外周に嵌合すると共に、粘着手段又は接着手段によって前記保持部材に取り付けられるカバー部材と、を有し、前記保持部材は、その外周に、前記粘着手段又は前記接着手段に達すると共に前記保持部材の外周において前記カバー部材に覆われていない部分に達する溝部を備えていることを特徴とする。
【発明の効果】
【０００８】
本発明に係るレンズ鏡筒によれば、レンズ鏡筒の前面が外観カバーのみで構成されている場合に、外観カバーの粘着部位又は接着部位に溶剤を浸透させることができるため、外観カバーを外す際の作業性を向上させることができる。
【図面の簡単な説明】
【０００９】
【図１】本発明の実施形態に係るレンズ鏡筒の分解斜視図である。
【図２】図１に示すレンズ鏡筒が備える１群レンズホルダの分解斜視図である。
【図３】図２に示す１群レンズホルダにおける、１群ベースに対する外観カバーの取り付け形態を模式的に示す図である。
【図４】図１に示すレンズ鏡筒が備える１群レンズホルダの断面図である。
【発明を実施するための形態】
【００１０】
以下、本発明の実施形態について添付図面を参照して詳細に説明する。図１は、本発明の実施形態に係るレンズ鏡筒の分解斜視図であり、このレンズ鏡筒は、例えば、デジタルカメラ等に用いられる。
【００１１】
＜レンズ鏡筒の構成と動作＞
図１に示されるように、レンズ鏡筒は、光軸方向において被写体側から順に、鏡筒ベース３２、駆動環３０、移動カム環１９、１群レンズホルダ１０、２群レンズホルダ１１、直進案内板１２、固定カム環１７、撮像素子ホルダ３３を備えている。
【００１２】
レンズ鏡筒の撮像光学系は、第１のレンズ群である１群レンズ（図１に不図示、図２を参照して後述する）、不図示の２群レンズ（第２のレンズ群）と、フォーカシングレンズである不図示の３群レンズ（第３のレンズ群）から構成されている。１群レンズは１群レンズホルダ１０に保持され、２群レンズは２群レンズホルダ１１に保持されている。
【００１３】
直進案内板１２には、１群レンズホルダ１０の内面において光軸方向へ延びるように形成された不図示の溝に係合し、１群レンズホルダ１０を光軸方向で変位可能に支持する１群案内棒１３が設けられている。直進案内板１２にはまた、２群レンズホルダ１１の外周部に設けられた２群直進穴１４と係合し、２群レンズホルダ１１を光軸方向で変位可能に支持する２群案内棒１５も一体的に設けられている。これにより、１群レンズホルダ１０及び２群レンズホルダ１１は光軸方向で変位自在となっている。
【００１４】
直進案内板１２のフランジ部の外縁には複数の突起１６が設けられており、これらの突起１６が、光軸方向へ伸びるように固定カム環１７の内面に設けられた複数の溝１８にそれぞれ係合することにより、直進案内板１２は光軸方向で変位自在に支持される。
【００１５】
移動カム環１９の外面部には、カムフォロワー２０が３箇所に等間隔で形成されており、これらのカムフォロワー２０は、固定カム環１７の内面に設けられた同形状の３本のカム２１にそれぞれカム係合する。移動カム環１９の回転に伴いカムフォロワー２０はカム２１の軌跡（形状）に沿って係合位置が移動し、これにより移動カム環１９は回転しながら光軸方向で変位することができるようになっている。
【００１６】
移動カム環１９の内面後端部にはフランジ２２が設けられており、フランジ２２に直進案内板１２のフック２３が係合することにより、直進案内板１２は移動カム環１９に対して回転自在に係合する。これにより、移動カム環１９の光軸方向への変位に伴って直進案内板１２も変位する。
【００１７】
１群レンズホルダ１０の外面部には、１群カムフォロワー２４が３箇所に等間隔で設けられており、これらの１群カムフォロワー２４は、移動カム環１９の内面に設けられた同形状の３本の１群カム２５にそれぞれカム係合する。１群カムフォロワー２４の係合位置は、移動カム環１９の回転に伴い１群カム２５の軌跡に沿って移動する。１群レンズホルダ１０は、光軸方向で変位自在に案内されているので、移動カム環１９の回転に伴う１群カム２５の光軸方向での変位量に合わせて変位する。
【００１８】
２群レンズホルダ１１の外面部には、２群カムフォロワー２６が３箇所に等間隔で設けられており、２群カムフォロワー２６は移動カム環１９の内面に設けられた同形状の３本の１群カム２７にそれぞれカム係合する。２群カムフォロワー２６の係合位置は、移動カム環１９の回転に伴い２群カム２７の軌跡に沿って移動する。前述の通り、２群レンズホルダ１１は光軸方向で変位自在に案内されているので、２群レンズホルダ１１は移動カム環１９の回転に伴う２群カム２７の光軸方向での変位量に合わせて変位する。
【００１９】
移動カム環１９の外面には、駆動ピン２８が３箇所に等間隔で設けられており、駆動ピン２８は、固定カム環１７の内面から外面に貫通するカム穴２９を貫通して、固定カム環１７の外面から突出する。固定カム環１７に形成されているカム２１とカム穴２９の軌跡は同形状であり、移動カム環１９の固定カム環１７に対する回転繰出し移動に対して、駆動ピン２８はカム穴２９の軌跡に沿って突出した状態を維持する。
【００２０】
駆動環３０は、固定カム環１７の外面に嵌合して回転自在に支持される。駆動環３０の内面には光軸方向へ伸びる溝３１が３箇所に等間隔で設けられており、溝３１のそれぞれに駆動ピン２８が係合する。これにより、駆動環３０の回転が溝３１と駆動ピン２８を介して移動カム環１９へと伝達される。
【００２１】
このように、１群レンズホルダ１０、２群レンズホルダ１１、直進案内板１２、固定カム環１７、移動カム環１９及び駆動環３０は、連携して動作するように一体とされて、鏡筒ベース３２に組み込まれる。そして、不図示の撮像素子を保持する撮像素子ホルダ３３が、鏡筒ベース３２と共に固定カム環１７のフランジ部分を挟み込むように固定されることで、レンズ鏡筒が組み立てられる。
【００２２】
駆動環３０を駆動する駆動源３３は、電力を動力へと変換する電磁モーターである。駆動源３３の動力は、ギア列３４を介して駆動環３０の外面に設けらた駆動環ギア３５へ伝達される。こうして、カメラ本体（不図示）から駆動源３３への通電により、駆動環３０を回転させることができる。このような構成により、本実施形態に係るレンズ鏡筒は、駆動環３０の回転位相にしたがって１群レンズホルダ１０及び２群レンズホルダ１１の光軸方向の位置が決まるズーム鏡筒となる。
【００２３】
＜１群レンズホルダ１０の詳細構造＞
次に、１群レンズホルダ１０の構造について詳細に説明する。図２は、１群レンズホルダ１０の分解斜視図である。１群レンズ２０１は、所定の光学的調整工程により光軸方向の位置及び傾きが調整された後に、保持部材である１群ベース２０２に接着により固定される。１群レンズ２０１と１群ベース２０２との間には、このような調整が可能となるように隙間が設けられている。そのため、この隙間を通してゴミや埃等の異物が侵入するのを防止するために、防塵シート２０３が１群レンズ２０１と１群ベース２０２との隙間に被さるように組み込まれる。
【００２４】
カメラの不使用時等に１群レンズ２０１を保護するバリア羽根２０４は４個の部品で構成されており、図２に示されるように、各バリア羽根２０４に回転中心となるバリア羽根軸２０５が設けられている。バリア羽根軸２０５は、１群ベース２０２のバリア羽根軸係合穴２０６に係合し、バリア羽根軸係合穴２０６を中心として回転可能に支持される。
【００２５】
バリア駆動環２０７は、１群ベース２０２に対して回転可能に嵌合すると共にバリア羽根２０４に当接し、バリア羽根２０４を駆動する突起を有する。このような構成により、バリア羽根２０４は、バリア駆動環２０７の回転にしたがってバリア羽根係合穴２０６を中心として回転することで開閉可能となっており、後述する外観カバー２０８の開口２０９を開閉する。
【００２６】
外観の見栄えをよくするための部品であるカバー部材として、第１レンズ群２０１の前方（光軸方向における被写体側）に外観カバー２０８が配置されている。外観カバー２０８は、１群レンズ２０１を露出させると共に撮影光束を制限する開口２０９を備え、バリア駆動環２０７と共にバリア羽根２０４を挟み込んでバリア羽根２０４の作動空間を構成する。外観カバー２０８はまた、１群ベース２０２の外周に嵌合すると共に、後述するように１群ベース２０２に対して両面粘着テープ等によって固定される。このような構成により、バリア羽根２０４はバリア駆動環２０７の回転に応じて、開口２０９を閉じて１群レンズ２０１を保護する閉鎖状態と、開口２０９を開いて撮影可能にする開放状態との間で動作する。
【００２７】
＜外観カバー２０８の１群ベース２０２への取り付け／取り外し＞
次に、１群ベース２０２に対する外観カバー２０８の固定方法について説明する。ここでは、外観カバー２０８は、両面粘着テープを用いて１群ベース２０２に固定されるものとする。
【００２８】
図３は、１群ベース２０２に対する外観カバー２０８の取り付け形態を模式的に示す図である。外観カバー２０８の裏面には、４枚（図３にはその内の２枚が図示されている）の両面粘着テープ３０１が貼り付けられる。これらの両面粘着テープ３０１の位置に対応して、両面粘着テープ３０１が貼り付けられる粘着面３０２が１群ベース２０２に設けられている。
【００２９】
図３には示していないが、バリア部材（バリア羽根２０４及びバリア駆動環２０７）が外観カバー２０８に組み込まれた後に、外観カバー２０８は１群ベース２０２に被せられ、バリア部材は外観カバー２０８と共に摺動する。外観カバー２０８を１群ベース２０２に取り付ける際には、１群ベース２０２の外周に設けられた凸部３０３と外観カバー２０８に設けられた切り欠き３０４とを係合させる。これにより、両面粘着テープ３０１を粘着面３０２の位置に対してずれることなく貼り付けることができる。
【００３０】
１群ベース２０２の外周面には光軸方向に沿った溝３０５が形成されており、その一端は、各粘着面３０２に達している。つまり、光軸方向から粘着面３０２を直視すると、溝３０５の凹形状を視認することができる。また、溝３０５の他端部は、外観カバー２０８が１群ベース２０２に取り付けられた状態で、外部に露出している。
【００３１】
１群レンズ２０１を交換する場合やバリア駆動環２０７等のバリア部材を交換する場合、或いはバリア部材を分解して清掃する場合等には、先ず、外観カバー２０８を取り外す必要がある。このとき、外観カバー２０８は両面粘着テープ３０１で１群ベース２０２に固定されているため、外観カバー２０８を取り外すためには、粘着部位を剥がす（両面粘着テープ３０１を剥離させる）必要がある。
【００３２】
粘着部位を剥がす方法としては、外観カバー２０８を光軸方向へ引っ張ることが考えられる。しかし、外観カバー２０８の外周を掴んで光軸方向に引っ張ると、外観カバー２０８を掴む力によって外観カバー２０８と１群ベース２０２との嵌合の摩擦が大きくなってしまい、外観カバー２０８が抜け難くなるという問題がある。また、外観カバー２０８の開口２０９から何らかの工具を差し込んで外観カバー２０８を引っ張り上げる方法も考えられるが、この方法では外観カバー２０８が変形してしまうおそれがあり、工具によりバリア羽根２０４を傷付けてしまうおそれもある。
【００３３】
これに対し、本実施形態に係るレンズ鏡筒では、１群ベース２０２の外周面に設けられた溝３０５を利用して両面粘着テープ３０１の粘着力を低下させて、外観カバー２０８を１群ベース２０２から容易に取り外すことがことができる。以下に詳しく説明する。
【００３４】
図４は、光軸と溝３０５の１つを含む面により定義される１群レンズホルダ１０の断面図である。前述の通り、外観カバー２０８と１群ベース２０２は互いに嵌合しており、溝３０５以外では密着している。しかし、溝３０５の一端は、外観カバー２０８が１群ベース２０２に被せられた状態でも、１群ベース２０２の外周面で外部に露出している。よって、両面粘着テープ３０１の粘着力を低下させる溶剤（有機溶剤）を、溝３０５の露出部分から溝３０５を通して粘着面３０２に流し込むことができる。こうして、粘着面３０２に到達した溶剤が粘着部位に浸透して、両面粘着テープ３０１の粘着力を低下させることができ、外観カバー３０８を、例えば手で掴んで引っ張る等することにより、外観カバー３０８を変形させることなく容易に取り外すことができる。
【００３５】
以上、本発明の実施の形態について説明したが、本発明は上記形態に限定されるものではない。例えば、外観カバー２０８の固定に両面粘着テープ３０１を使用した実施形態について説明したが、両面粘着テープ３０１に代えて接着剤を用いてもよい。また、両面粘着テープ３０１を４箇所に使用したが、配設箇所の数や粘着面積等は、必要とされる固定力を考慮して任意に変更が可能である。その他、本発明は、その趣旨を逸脱しない範囲において適宜改変等され得る。
【符号の説明】
【００３６】
１０    １群レンズホルダ
２０１    １群レンズ
２０２    １群ベース
２０４    バリア羽根
２０７    バリア駆動環
２０８    外観カバー
３０１    両面粘着テープ
３０５    溝
【図１】
2011158820.tif 000003
【図２】
2011158820.tif 000004
【図３】
2011158820.tif 000005
【図４】
2011158820.tif 000006